(57)【要約】【課題】本考案は、本考案は、身体の防護性に優れ簡単に装着することができ様々な災害に十分対応することが可能な救命具を提供することを目的とするものである。【解決手段】本体部１は、胸当て部１０及び背当て部１１を備えるとともに両者を繋ぐ一対の肩当て部１２ａ及び１２ｂの間に頭部を覆うフード部１３を備えている。背当て部１１の両側には一対の連結部２ａ及び２ｂが設けられ、その先端部を胸当て部１０の外面において固定する固定ベルト２１ａ及び２１ｂが設けられている。本体部１の内部には、気密性シートにより形成されたガス膨張体４０〜４３が各部を連通するように設けられており、胸当て部１０の外面には、ガス膨張体にガスを充填するガス充填装置３０が設けられている。【選択図】図１
0003112411.tif 000002
【実用新案登録請求の範囲】
【請求項１】
胸当て部及び背当て部を備えるとともに両者を繋ぐ一対の肩当て部の間に頭部を覆うフード部を備えた本体部と、前記背当て部の両側に設けられるとともにその先端部を前記胸当て部の外面において固定する固定具が設けられた一対の連結部とを備え、前記本体部の内部には、気密性シートにより形成されたガス膨張体が各部を連通するように設けられており、前記胸当て部の外面には、前記ガス膨張体にガスを充填するガス充填装置が設けられていることを特徴とする救命具。
【請求項２】
前記連結部は、前記胸当て部の外面において前記ガス充填装置を覆うように固定されることを特徴とする請求項１に記載の救命具。
【請求項３】
前記肩当て部の間に形成された開口には、前記フード部が折畳んで挿入可能であることを特徴とする請求項１又は２に記載の救命具。
【請求項４】
前記背当て部の外面には、前記本体部及び前記連結部を折畳んで収納する収納部が設けられていることを特徴とする請求項１から３のいずれかに記載の救命具。
【考案の詳細な説明】
【技術分野】
【０００１】
本考案は、地震、噴火、洪水等の大規模な災害や火災、海難事故等の様々な災害に対して身体を防護するための救命具に関する。
【背景技術】
【０００２】
日本では古来より地震、火山噴火、台風等の風水害といった災害が頻発する風土であることから、従来よりこうした災害から身を守るためのさまざまな救命具が提案されている。例えば、特許文献１では、小型炭酸ガスボンベを備えるガス充填装置を作動させて炭酸ガスを充填した場合に、頭部、顔の両側および襟首を一体的に覆いかつ防護するガスクッションとして機能する防災用頭巾を収納するリュックサックが記載されている。また、特許文献２では、救命胴衣の表地と裏地との間に挟んだ浮力材をくり抜いて凹部を形成し、発信器を収納するとともに、表地及び裏地の凹部に対応する部位にジップファスナーを縫い付けてどちら側からでも凹部に物や手を出し入れできるようにした点が記載されている。特許文献３では、気嚢室が形成される膨張体部が、首部分と左右一対の垂下部分からなる略逆Ｕ字型にされ、首部分の中央裏側に、縦ベルトが縫着されるとともに、垂下部分の下端部に固定ベルトが縫着され、縦ベルトの下端部から固定ベルトの下端部に向けて胴体ベルトが延出する救命胴衣において、膨張体部の周縁部に反射テープを縫い付けた点が記載されている。
【特許文献１】特許第３３４８２４１号公報
【特許文献２】特開２００４−１７８０６号公報
【特許文献３】特開２００４−２４３８５６号公報
【考案の開示】
【考案が解決しようとする課題】
【０００３】
上記の特許文献では、救命具の利便性の向上といった点で改良工夫がなされているものの、身体の防護性、装着の容易性及び携帯の利便性といった観点からみると、一長一短があり、上述した様々な災害に広く対応できる汎用性を備えているとはいえない。
【０００４】
そこで、本考案は、身体の防護性に優れ簡単に装着することができ様々な災害に十分対応することが可能な救命具を提供することを目的とするものである。
【課題を解決するための手段】
【０００５】
本考案に係る救命具は、胸当て部及び背当て部を備えるとともに両者を繋ぐ一対の肩当て部の間に頭部を覆うフード部を備えた本体部と、前記背当て部の両側に設けられるとともにその先端部を前記胸当て部の外面において固定する固定具が設けられた一対の連結部とを備え、前記本体部の内部には、気密性シートにより形成されたガス膨張体が各部を連通するように設けられており、前記胸当て部の外面には、前記ガス膨張体にガスを充填するガス充填装置が設けられていることを特徴とする。さらに、前記連結部は、前記胸当て部の外面において前記ガス充填装置を覆うように固定されることを特徴とする。さらに、前記肩当て部の間に形成された開口には、前記フード部が折畳んで挿入可能であることを特徴とする。さらに、前記背当て部の外面には、前記本体部及び前記連結部を折畳んで収納する収納部が設けられていることを特徴とする。
【考案の効果】
【０００６】
上記のような構成を有することで、胸当て部、背当て部、肩当て部及びフード部が一体となった本体部を備え各部に連通するガス膨張体を設けているので、身体の上半身を防護する防護性に優れており、装着の際には一対の肩当て部の間から頭部を挿入してフード部を被るだけで装着することができ、本体部を装着した後一対の連結部を胸当て部の外面に固定すればよく、誰にでも簡単に装着を迅速・的確に行うことができる。さらに、胸当て部の外面にガス膨張体にガスを充填するガス充填装置が設けられているので、ガスの充填操作も容易に行うことができ、咄嗟の際にも確実にガス充填が行える。
【０００７】
また、連結部を胸当て部の外面においてガス充填装置を覆うように固定すれば、例えば、洪水等の水難事故に遭遇しても不用意にガス充填装置が外れてしまうことを防止することができる。
【０００８】
また、肩当て部の間に形成された開口にフード部を折畳んで挿入可能にすれば、収納の際に本体部からフード部が突出することがなく、収納性に優れたものとなる。そして、背当て部の外面に本体部及び連結部を折畳んで収納する収納部を設けるようにすれば、使用時に収納部から本体部及び連結部を取り出して装着する際に収納部が背当て部の外面に設けられているので、装着の支障になることがない。また、再度収納する際にも収納部が本体部と一体となっているので、収納部を紛失してしまうことがない。
【考案を実施するための最良の形態】
【０００９】
以下、本考案を添付図面に示す実施形態に基づいて詳しく説明する。なお、以下に説明する実施形態は、本考案を実施するにあたって好ましい具体例であるから、技術的に種々の限定がなされているが、本考案は、以下の説明において特に本考案を限定する旨明記されていない限り、これらの形態に限定されるものではない。
【００１０】
図１は、本考案に係る実施形態に関する外観斜視図を示している。本体部１は、矩形状の胸当て部１０及び背当て部１１を一対の帯状の肩当て部１２ａ及び１２ｂを繋いだ形状となっており、一対の肩当て部１２ａ及び１２ｂの間には、矩形状の空間１４が形成されている。そして、背当て部１１の空間１４に面する辺部にフード部１３が一体に取り付けられている。フード部１３は、頭部を覆うドーム状の頂部１３ａと顔面の両側面を覆う側部１３ａ及び１３ｂからなる。また、背当て部１１の両側には、帯状の一対の連結部２ａ及び２ｂが設けられている。
【００１１】
そして、胸当て部１０、背当て部１１、肩当て部１２ａ及び１２ｂ、フード部１３の内部には、点線で図示するようにそれぞれガス膨張体４０、４１、４２ａ及び４２ｂ、４３が設けられており、各ガス膨張体は連通して一体化されている。胸当て部１０の外面には、ガス膨張体にガスを充填するためのガス充填装置３０及び手動式のガス充填具３１が取り付けられている。ガス充填装置３０には、小型の炭酸ガスボンベ３２が取り付けられて炭酸ガスがガス膨張体に圧入されるようになっており、ガス充填具３１は、ガス膨張体に充填したガスが抜けてきた場合に蛇腹状の手動ポンプを動作してガス膨張体内に空気を送入するようになっている。
【００１２】
ガス充填装置３０及びガス充填具３１は、胸当て部１０の下部に固定されており、その取付部分にはガス膨張体４０が形成されていないため、ガス膨張体が膨らんでもガス充填装置３０及びガス充填具３１が突出することはない。また、ガス充填装置３０及びガス充填具３１の間には、連結部２ａ及び２ｂの先端部を固定する面ファスナー１５が取り付けられており、面ファスナー１５の取付部分は、ガス膨張体４０が形成されて膨らむようになっている。そのため、ガス膨張体にガスを充填すると面ファスナー１５が外方に突出して連結部２ａ及び２ｂを容易に固定することができ、また、連結部２ａ及び２ｂによりガス充填装置３０及びガス充填具３１が被覆されて防護されるようになる。
【００１３】
肩当て部１２ａの外面には、携帯電話等の物品を収容する袋状の物品収容部１６ａが取り付けられている。物品収容部１６ａは、防水性のシート材料から作られており、長手方向に気密防水性のスライドファスナーが設けられているため、内部に水が浸入することがなく、内部に収容した携帯電話等の機器が故障しないようにされている。また、肩当て部１２ａには、小型発信器１７が取り付けられており、水難事故で漂流したり、崩壊した建物内に閉じ込められたりしても小型発信器１７から発信する電波によりその位置を容易に特定することができるようになる。肩当て部１２ｂの外面にも物品収容部１６ａと同様の物品収容部１６ｂが取り付けられている。
【００１４】
連結部２ａ及び２ｂの内面には、胸当て部１０に設けられた面ファスナー１５と係合する面ファスナー２０ａ及び２０ｂが先端部に設けられている。そして、先端部の外面には、固定ベルト２１ａ及び２１ｂが取り付けられており、連結部２ａ及び２ｂを胸当て部１０に固定した後固定ベルト２１ｂを固定ベルト２１ａに係合させて連結部２ａ及び２ｂを互いに確実に固定するようにする。また、連結部２ａ及び２ｂの内面の中央部には、保存食等の非常食を収容するポケット部２２ａ及び２２ｂが設けられている。
【００１５】
救命具を装着する際には、空間１４に頭部を挿入してフード部１３で頭部を覆うように被り、連結部２ａ及び２ｂを脇の下を通して胸当て部１０の面ファスナー１５に固定し、固定ベルト２１ａ及び２１ｂを係合固定すればよく、きわめて簡単に装着することができる。
【００１６】
図２は、本体部１並びに連結部２ａ及び２ｂを平面状に展開した状態で内面側から見た平面図であり、図３は、同様の状態で外面側から見た平面図である。また、図４は、図２のＡ−Ａ断面図を示している。図２及び図３に示すように、本体部１は、縦長の長方形状で、ほぼ中央部に矩形状の空間１４が形成されている。そして、フード部１３は、頂部１３ａ内に一対の側部１３ｂとの境目を折り込むように折畳むことで、空間１４内に収容されるようになっている。したがって、後述するように、本体部１を折畳む際にフード部１３が空間１４に収容されて邪魔になることがない。
【００１７】
また、図３に示すように、背当て部１１のフード部１３の付け根部分には、スライドファスナー１８が設けられており、スライドファスナー１８により開口されるマント収容部（図示せず）が設けられている。収容されたマントは、防炎及び防水性のシート材料からなり、体全体を覆うだけの大きさに形成されている。また、背当て部１１の下部には、平面視矩形状の収納部５０が設けられており、後述するように、本体部１並びに連結部２ａ及び２ｂを折畳んで携帯可能に収納することができる。
【００１８】
図４のＡ−Ａ断面図に示すように、本体部１並びに連結部２ａ及び２ｂは、基体シート地１００により構成されており、本体部１には、気密性シート１０１ａ及び１０１ｂが全周縁部をウエルダー加工により融着されて構成されたガス膨張体が基体シート地１００に全周縁部を縫い付け固定されている。
【００１９】
図５は、背当て部１１の外面に取り付けられた収納部５０を示す外観斜視図である。また、図６は、収納部５０が開いた状態を示す外観斜視図である。収納部５０は、柔軟性のあるシート材料により矩形状のバッグに成形されており、側面に設けられたスライドファスナー５１により２つの分割部５０ａ及び５０ｂが閉じられるようになっている。分割部５０ａ及び５０ｂは、裏返して使用可能なようにリバーシブルに構成されている。分割部５０ｂは、底面が背当て部１１の外面に密着して縫い付けられている。分割部５０ａは、スライドファスナー５１の設けられていない側面で分割部５０ｂと一体化しており、一体化した側面の内面に把手部５２が固定されている。分割部５０ｂの底面を二重構造に構成して書類等を収納するポケットを設けるようにしてもよい。
【００２０】
収納部５０に本体部１並びに連結部２ａ及び２ｂを折畳んで収納する場合には、図６に示すように収納部５０を開いた状態で、分割部５０ａ及び５０ｂを裏返して背当て部１１が分割部５０ｂ内に収納された状態とし、分割部５０ａに固定された把手部５２を外方に出した状態とする（図７参照）。そして、両側の連結部２ａ及び２ｂを交互に折畳んで背当て部１１の上面に配置する（図８参照）。
【００２１】
次に、図９に示すように、本体部１を三つ折りするようにして分割部５０ｂ内に収納する。まず、本体部１を分割部５０ｂと接する位置で連結部２ａ及び２ｂの方へ折畳み（図９（ａ）参照）、さらに、分割部５０ｂ内に納まり切らない部分を逆方向に向けて折畳むようにする（図９（ｂ）参照）。このように本体部１を三つ折りすることで、胸当て部１０に取り付けられたガス充填装置３０及びガス充填具３１が最上位に来るようになって収納しやすくなるとともに取り出す場合には簡単に本体部１を展開することができる。本体部１を三つ折りして分割部５０ｂ内に収納した後分割部５０ａを閉じてスライドファスナー５１により止着する（図９（ｃ）参照）。この状態では、把手部５２が外方に出ているため、通常のバッグと同様に携帯することができる。そして、収納部５０内には、携帯電話、発信器、保存食等の非常食がコンパクトに収納されるようになるので、非常用の携帯バッグとして兼用することもできる。
【００２２】
以上説明した本考案に係る救命具は、携帯が容易なことから常時携行することも可能で、消防隊員のように常時災害現場で活動する可能性のある場合に好適である。そして、着用する場合には、スライドファスナー５１を開いて本体部を引き出し、ガスボンベを装着してガス膨張体を膨らませれば、簡単に着用することができる。また、連結部同士の固定により救命具が外れることはなく、さらにガス充填装置が連結部により覆われて不用意に外れてしまうこともない。
【００２３】
また、ガス膨張体を膨らませることで、水難事故や海難事故、洪水といった災害に対応することができ、またフード部を備えた本体部で上半身を覆うことで建物の倒壊等に対して身体を防護することができる。さらに、生き埋めになったとしても発信器により存在位置を正確に確認して迅速な救助が可能となり、救助までの間においても本体部に備えられた非常食により命を永らえることができる。このように、本考案に係る救命具は、様々な災害に対応できる汎用性を備えており、災害の多い日本のような地域において必要となるものである。
【図面の簡単な説明】
【００２４】
【図１】本考案に係る実施形態の外観斜視図である。
【図２】本体部及び連結部を平面状に展開した状態で内面側から見た平面図である。
【図３】本体部及び連結部を平面状に展開した状態で外面側から見た平面図である。
【図４】図２のＡ−Ａ断面図である。
【図５】背当て部の外面に取り付けられた収納部を示す外観斜視図である。
【図６】収納部が開いた状態を示す外観斜視図である。
【図７】本体部及び連結部を収納部に収納する場合の説明図である。
【図８】本体部及び連結部を収納部に収納する場合の説明図である。
【図９】本体部及び連結部を収納部に収納する場合の説明図である。
【符号の説明】
【００２５】
１    本体部
２    連結部
10    胸当て部
11    背当て部
12    肩当て部
13    フード部
14    空間
15    面ファスナー
16    物品収容部
17    発信器
18    スライドファスナー
20    面ファスナー
21    固定ベルト
22    ポケット部
30    ガス充填装置
31    ガス充填具
32    ガスボンベ
40〜43    ガス膨張体
50    収納部
【図１】
0003112411.tif 000003
【図２】
0003112411.tif 000004
【図３】
0003112411.tif 000005
【図４】
0003112411.tif 000006
【図５】
0003112411.tif 000007
【図６】
0003112411.tif 000008
【図７】
0003112411.tif 000009
【図８】
0003112411.tif 000010
【図９】
0003112411.tif 000011